(57)【要約】【課題】鼻先下地又は外壁への施工性がよく、鼻先下地と軒樋との隙間又は外壁と軒樋との隙間への水の浸入を抑制することができる水切材及び軒先構造を得る。【解決手段】水切材５０は、外壁材１４に取り付けられる取付部５３、５７と、取付部５３、５７の上部から延びる上部延設部５４、５８と、取付部５３、５７の下部から延び、外壁材１４と軒樋６０との隙間Ｄを覆う下部延設部５５、５９と、を有する。ここで、水切材５０は、上部延設部５４、５８によって、雨水Ｅを軒樋６０の中に落下させることができる。さらに、水切材５０は、下部延設部５５、５９が雨水の移動を規制するので、外壁材１４と軒樋６０との隙間Ｄへの雨水の浸入を抑制することができる。【選択図】図５
2014141796.tif 000002
【特許請求の範囲】
【請求項１】
建物の鼻先下地又は外壁に取り付けられる取付部と、
前記取付部の上部から前記建物側とは反対側へ向けて延びる上部延設部と、
前記取付部の下部から前記建物側とは反対側へ向けて延び、前記取付部が前記鼻先下地又は前記外壁に取り付けられた状態で前記鼻先下地又は前記外壁と軒樋との隙間を覆う下部延設部と、
を有する水切材。
【請求項２】
前記下部延設部は、先端部が下側へ向けて屈曲されている請求項１に記載の水切材。
【請求項３】
前記上部延設部は、先端部が下側へ向けて屈曲されている請求項１又は請求項２に記載の水切材。
【請求項４】
前記鼻先下地又は前記外壁に向けて切り欠かれた切欠部が前記下部延設部に形成された請求項１から請求項３のいずれか１項に記載の水切材と、
前記切欠部内に設けられ前記軒樋を吊る吊具と、
を有する軒先構造。
【請求項５】
前記水切材は、前記鼻先下地又は前記外壁に沿った配置方向に複数配置されると共に、一の前記水切材の前記配置方向における一端と、他の前記水切材の前記配置方向における他端とが接続されて接続部が形成され、
前記切欠部が、前記接続部が形成された位置に配置されている請求項４に記載の軒先構造。
【請求項６】
前記接続部は、一の前記水切材の端部と他の前記水切材の端部とが重ねられている請求項５に記載の軒先構造。
【請求項７】
前記吊具は、一の前記水切材と他の前記水切材とに跨って取り付けられている請求項５又は請求項６に記載の軒先構造。
【発明の詳細な説明】
【技術分野】
【０００１】
本発明は、水切材及び軒先構造に関する。
【背景技術】
【０００２】
特許文献１の軒先構造は、鼻隠し板に軒樋支持具が取り付けられ、この軒樋支持具によって軒樋が支持されている。また、この軒先構造は、野地板と屋根材との間から軒樋に向けて水切り板が突出されている。そして、軒樋には、鼻隠し板に近い側の壁付近に水撥ね防止板が直立して設けられており、水撥ね防止板は、上端部が軒樋の壁の上端よりも上方に突出するように配置されている。
【０００３】
しかし、特許文献１の軒先構造では、降雨時に水切り板と水撥ね防止板との間に雨水が入り込む場合があり、この入り込んだ雨水が、軒樋と鼻隠し板との隙間に回り込んで、鼻隠し板の側面（建物の外壁面）を汚すことがあった。
【先行技術文献】
【特許文献】
【０００４】
【特許文献１】特開平９−１９５４６３号公報
【発明の概要】
【発明が解決しようとする課題】
【０００５】
本発明は、鼻先下地又は外壁への施工性がよく、鼻先下地と軒樋との隙間又は外壁と軒樋との隙間への水の浸入を抑制することができる水切材及び軒先構造を得ることが目的である。
【課題を解決するための手段】
【０００６】
請求項１の発明に係る水切材は、建物の鼻先下地又は外壁に取り付けられる取付部と、前記取付部の上部から前記建物側とは反対側へ向けて延びる上部延設部と、前記取付部の下部から前記建物側とは反対側へ向けて延び、前記取付部が前記鼻先下地又は前記外壁に取り付けられた状態で前記鼻先下地又は前記外壁と軒樋との隙間を覆う下部延設部と、を有する。
【０００７】
請求項１の発明に係る水切材では、取付部が建物の鼻先下地又は外壁に取り付けられることにより、上部延設部と下部延設部が一体で設けられるので、鼻先下地又は外壁への水切材の施工性がよくなる。そして、水切材では、取付部が建物の鼻先下地又は外壁に取り付けられた状態で、下部延設部が鼻先下地又は外壁と軒樋との隙間を覆う。
【０００８】
ここで、上部延設部は、該上部延設部の上面を流れる水を軒樋の中に落下させることができる。一方、下部延設部は、鼻先下地又は外壁と軒樋との隙間を覆っているので、軒樋の中に落下した水の一部が、軒樋と鼻先下地又は外壁との間に向けて跳ね上がることがあっても、下部延設部がこの水の移動を規制する。これにより、鼻先下地又は外壁と軒樋との隙間への水の浸入を抑制することができる。
【０００９】
請求項２の発明に係る水切材は、前記下部延設部は、先端部が下側へ向けて屈曲されている。
【００１０】
請求項２の発明に係る水切材では、下部延設部の屈曲された部位から先端部までが軒樋の側面を覆うので、軒樋の中に落下した水の一部が、軒樋の側面へ向けて跳ね上がることがあっても、この水の移動が下部延設部の屈曲された部位（下側に向かう部位）で規制される。これにより、鼻先下地又は外壁と軒樋との隙間への水の浸入を抑制することができる。
【００１１】
請求項３の発明に係る水切材は、前記上部延設部は、先端部が下側へ向けて屈曲されている。
【００１２】
請求項３の発明に係る水切材では、上部延設部の屈曲された部位から先端部までが下方へ延びているので、水を下方へ案内して確実に軒樋の中に落下させることができる。さらに、水切材では、下方へ延びた部位が水の移動を規制するので、軒樋の中に落下して跳ね上がった水が、上部延設部と下部延設部との間へ浸入するのを抑制することができる。
【００１３】
請求項４の発明に係る軒先構造は、前記鼻先下地又は前記外壁に向けて切り欠かれた切欠部が前記下部延設部に形成された請求項１から請求項３のいずれか１項に記載の水切材と、前記切欠部内に設けられ前記軒樋を吊る吊具と、を有する。
【００１４】
請求項４の発明に係る軒先構造では、水切材の切欠部内に軒樋の吊具が配置される（収容される）ので、軒樋や吊具の大きさ及び形状に関わらず、吊具を取り付けることができる。
【００１５】
請求項５の発明に係る軒先構造は、前記水切材は、前記鼻先下地又は前記外壁に沿った配置方向に複数配置されると共に、一の前記水切材の前記配置方向における一端と、他の前記水切材の前記配置方向における他端とが接続されて接続部が形成され、前記切欠部が、前記接続部が形成された位置に配置されている。
【００１６】
請求項５の発明に係る軒先構造では、一の水切材における下部延設部の一端を切欠き、他の水切材における下部延設部の他端を切欠いて、これらを接続することで、接続部が形成された位置に１つの切欠部が配置される。このように、一の水切材の一端及び他の水切材の他端といった、中央部に比べて加工が容易な端部を加工すればよいので、水切材の加工性を向上させることができる。
【００１７】
請求項６の発明に係る軒先構造は、前記接続部は、一の前記水切材の端部と他の前記水切材の端部とが重ねられている。
【００１８】
請求項６の発明に係る軒先構造では、接続部において、一の水切材と他の水切材とが重ねられているので、一の水切材と他の水切材との隙間への水の浸入を抑制することができる。
【００１９】
請求項７の発明に係る軒先構造は、前記吊具は、一の前記水切材と他の前記水切材とに跨って取り付けられている。
【００２０】
請求項７の発明に係る軒先構造では、吊具が、一の水切材と他の水切材とに跨って取り付けられ、接続部の少なくとも一部を覆うので、一の水切材と他の水切材との隙間への水の浸入をさらに抑制することができる。
【発明の効果】
【００２１】
以上説明したように、請求項１に記載の本発明に係る水切材によれば、鼻先下地又は外壁への施工性がよく、鼻先下地と軒樋との隙間又は外壁と軒樋との隙間への水の侵入を抑制することができるという優れた効果を有する。
【００２２】
請求項２に記載の本発明に係る水切材によれば、鼻先下地又は外壁と軒樋との隙間への水の浸入を抑制することができるという優れた効果を有する。
【００２３】
請求項３に記載の本発明に係る水切材によれば、水を下方へ案内して確実に軒樋の中に落下させることができると共に、軒樋の中に落下して跳ね上がった水が、上部延設部と下部延設部との間へ浸入するのを抑制することができるという優れた効果を有する。
【００２４】
請求項４に記載の本発明に係る軒先構造によれば、軒樋や吊具の大きさ及び形状に関わらず、吊具を取り付けることができるという優れた効果を有する。
【００２５】
請求項５に記載の本発明に係る軒先構造によれば、水切材の加工性を向上させることができるという優れた効果を有する。
【００２６】
請求項６に記載の本発明に係る軒先構造によれば、一の水切材と他の水切材との隙間への水の浸入を抑制することができるという優れた効果を有する。
【００２７】
請求項７に記載の本発明に係る軒先構造によれば、一の水切材と他の水切材との隙間への水の浸入をさらに抑制することができるという優れた効果を有する。
【図面の簡単な説明】
【００２８】
【図１】第１実施形態に係る軒先構造を有するユニット建物の一部を示す縦断面図である。
【図２】（Ａ）、（Ｂ）第１実施形態に係る複数の水切材の一部を接続する状態を示す斜視図である。（Ｃ）第１実施形態に係る水切材の変形例を示す斜視図である。
【図３】（Ａ）第１実施形態に係る水切材の縦断面図である。（Ｂ）第１実施形態に係る水切材の変形例の縦断面図である。
【図４】第１実施形態に係る水切材に吊具及び軒樋を取り付ける状態を示す斜視図である。
【図５】第１実施形態に係る水切材で雨水が流れる状態を示す説明図である。
【図６】（Ａ）第２実施形態に係る軒先構造を有するユニット建物の一部を示す縦断面図である。（Ｂ）第２実施形態に係る水切材の切欠部周辺を拡大した斜視図である。
【図７】第２実施形態に係る水切材で雨水が流れる状態を示す説明図である。
【発明を実施するための形態】
【００２９】
[第１実施形態]
本発明の第１実施形態に係る水切材及び軒先構造の一例について説明する。
【００３０】
（全体構成）
図１には、第１実施形態の一例としての軒先構造４０が適用された建物の一例としてのユニット建物１０の一部が示されている。ユニット建物１０は、基礎上に組み上げられた複数の建物ユニット（図示省略）により構成されている。なお、以後の説明では、ユニット建物１０の桁方向をＸ方向（図中の矢印Ｘ）、妻方向をＹ方向（図中の矢印Ｙ）、高さ方向をＺ方向（図中の矢印Ｚ）とする。
【００３１】
図１に示すように、ユニット建物１０は、壁フレーム１２を有している。壁フレーム１２は、Ｙ方向に所定の間隔をあけて複数配置されると共に、それぞれＺ方向に沿って延設されている。また、壁フレーム１２は、Ｚ方向の上側から見て断面Ｕ字形状に形成されており、Ｙ方向とは反対側に開口されている。さらに、壁フレーム１２の外側（Ｘ方向側とは反対側）には、Ｙ−Ｚ面に沿って配置された板状の外壁の一例としての外壁材１４が、スクリューからなる締結部材（図示省略）により締結されている。
【００３２】
壁フレーム１２のＺ方向上端には、横桟１６がＹ方向に沿って掛け渡されている。横桟１６は、Ｘ−Ｚ断面がＵ字形状となっており、横桟１６の底壁１６Ａは、壁フレーム１２上に配置されている。そして、外壁材１４の上部は、スクリューからなる締結部材１７によって、横桟１６のＸ方向側とは反対側の側壁１６Ｂに固定されている。
【００３３】
また、壁フレーム１２のＸ方向側（ユニット建物１０の内側）には、Ｙ方向に沿ってＸ−Ｚ断面がＵ字状の天井梁１８が設けられている。天井梁１８は、Ｚ方向に直立するウェブ１８Ａと、ウェブ１８Ａの下部からＸ方向に延びる下フランジ１８Ｂと、ウェブ１８Ａの上部からＸ方向に延びる上フランジ１８Ｃとを有している。そして、ウェブ１８Ａには、ボルト等からなる締結部材２２により横桟１６の側壁１６Ｃが締結されている。また、下フランジ１８Ｂの下側には、天井を構成する天板２４が固定されている。
【００３４】
天井梁１８のＸ方向側には、屋根フレーム２６がＸ方向に沿って延設されている。そして、屋根フレーム２６のＸ方向側とは反対側（ユニット建物１０の外側）の端部には、Ｘ−Ｙ面に沿った板状の締結部２６Ａが設けられている。締結部２６Ａは、天井梁１８の上フランジ１８Ｃの上側に配置されており、ボルト等からなる締結部材２８によって上フランジ１８Ｃに締結されている。
【００３５】
屋根フレーム２６の上方には、ユニット建物１０の屋根部を構成する陸屋根３２が設けられている。陸屋根３２は、Ｚ方向に向けて下側から順に野地板３４、断熱材３６、及び鋼板役物３８を含んで構成されている。野地板３４は、合板やＡＬＣ（軽量コンクリート）等により形成されており、屋根フレーム２６上に設置されている。
【００３６】
断熱材３６は、野地板３４上に設置されている。また、断熱材３６は、ポリスチレンフォーム等の発泡性の樹脂により形成されており、ユニット建物１０の屋内における結露を抑制する機能を有している。
【００３７】
鋼板役物３８は、ＤＮ鋼板により形成されており、断熱材３６上にＸ−Ｙ面に沿って設置されている。また、鋼板役物３８の外側の端部には、Ｙ−Ｚ面に沿って側壁部３８Ａが一体に設けられている。側壁部３８Ａは、外壁材１４の外側に外壁材１４と平行に配置されている。
【００３８】
（要部構成）
次に、軒先構造４０について説明する。
【００３９】
図１に示すように、軒先構造４０は、鋼板役物３８の側壁部３８Ａと共に外壁材１４に取り付けられた水切材５０と、水切材５０及び側壁部３８Ａと共に外壁材１４に取り付けられ軒樋６０を吊る吊具６２とを有している。
【００４０】
（軒樋）
軒樋６０は、一例として、側壁部６４と、側壁部６４の下端から水平に延びる底部６５と、底部６５の側壁部６４側とは反対側に形成された段差部６６と、段差部６６の上端から斜め方向に延びる傾斜部６７とが一体で形成されている。そして、軒樋６０は、Ｙ方向に見て、Ｚ方向に開口した断面Ｕ字形状となっている。
【００４１】
詳細には、側壁部６４は、外壁材１４に近い側でＹ−Ｚ面に沿って直立するように配置されている。また、側壁部６４のＺ方向の上端には、Ｘ方向に拡幅された拡幅部６４Ａが形成されている。拡幅部６４Ａの下部には、Ｚ方向側とは反対側に開口した凹部６４Ｂが形成されている。そして、底部６５は、側壁部６４のＺ方向の下端からＸ方向側（ユニット建物１０側）とは反対側へ水平に延びている。また、底部６５のＸ方向中央には、Ｚ方向に貫通した貫通孔（図示省略）が形成されている。
【００４２】
段差部６６は、底部６５の側壁部６４側とは反対側にＸ−Ｚ断面でクランク状に形成されている。そして、傾斜部６７は、上端が下端（段差部６６側）よりも外壁材１４から離れる側に傾斜している。また、傾斜部６７の上端は、Ｘ方向に拡幅されており、この拡幅された部位の下部には、段差部６６に向けて開口した凹部６７Ａが形成されている。なお、一例として、凹部６７Ａの高さ位置は、凹部６４Ｂの高さ位置よりも高くなっている。
【００４３】
底部６５の貫通孔（図示省略）には、ごみ等を除去しつつ水（雨水）を通過させるドレン７２が取り付けられており、ドレン７２及び底部６５のＺ方向下側には、縦継ぎ手７４が設けられている。そして、縦継ぎ手７４には、縦樋７６の上端部が接続されている。縦樋７６は、一例として、円筒状部材で構成されており、Ｘ方向で外壁材１４と間隔をあけて配置されると共にＺ方向を中心軸方向として下側へ延びている。これにより、軒樋６０内に落ちた水（雨水）が、ドレン７２を通って縦樋７６内に流入して、縦樋７６内をＺ方向の下側へ流れるようになっている。
【００４４】
（吊具）
吊具６２は、水切材５０と共に外壁材１４に取り付けられる板状部６２Ａと、板状部６２ＡからＸ方向とは反対方向に延びるアーム部６２Ｂと、アーム部６２Ｂの板状部６２Ａ側とは反対側で斜め上方に突出された突出部６２Ｃとを有している。さらに、吊具６２は、アーム部６２ＢのＸ方向側の下部に形成された引掛部６２Ｄと、アーム部６２ＢのＸ方向側とは反対側の下面から下側に突出形成された押え部６２Ｅとを有している。
【００４５】
図４に示すように、板状部６２Ａは、Ｙ−Ｚ面に沿った板状に形成されており、板状部６２Ａには、Ｙ方向に間隔をあけて配置されると共にＸ方向に貫通された貫通孔６２Ｆ、６２Ｇが形成されている。そして、貫通孔６２Ｆ、６２Ｇの内径は、締結部材１７の軸部を挿入可能な大きさとなっている。なお、板状部６２Ａは、後述する第１水切材５２と第２水切材５６とに跨って取り付けられている。
【００４６】
アーム部６２Ｂは、板状部６２ＡのＸ方向側とは反対側の面におけるＹ方向中央からＸ方向とは反対方向に板状に延びている。そして、アーム部６２ＢのＺ方向における上部及び下部は、Ｙ方向に沿ってフランジ状に張り出されている。また、突出部６２Ｃは、Ｚ方向上端が下端よりも板状部６２Ａから離れるように傾斜している。そして、突出部６２Ｃは、軒樋６０の凹部６７Ａ（図１参照）に嵌まる大きさとなっている。
【００４７】
図１に示すように、引掛部６２Ｄは、Ｙ方向に見てＣ字状に形成されている。そして、引掛部６２ＤのＺ方向下側の先端は、凹部６４Ｂへの引っ掛けが可能となる大きさでＺ方向に延びている。また、押え部６２Ｅは、Ｚ方向における上部から中央部までがＺ方向に沿って延びており、Ｚ方向における下部がＸ方向側に屈曲されると共にさらに下側に屈曲された形状とされている。そして、押え部６２Ｅの大きさは、該押え部６２Ｅの下端部が、段差部６６と接触可能な大きさとなっている。
【００４８】
（水切材）
次に、水切材５０について説明する。
【００４９】
図２（Ａ）、（Ｂ）に示すように、水切材５０は、外壁材１４（図１参照）に沿った配置方向の一例としてのＹ方向に配置された、第１水切材５２及び第２水切材５６を含んで構成されている。なお、本実施形態では、一例として、水切材５０が第１水切材５２と第２水切材５６とを接続して形成されるものとして説明するが、水切材５０を構成する水切材の数は、２つに限るものではなく、３つ以上であってもよい。
【００５０】
第１水切材５２は、一の水切材の一例であり、第２水切材５６は、他の水切材の一例である。なお、各部材のＹ方向における一端とは、一例として、Ｙ方向側の端部であり、各部材のＹ方向における他端とは、一例として、Ｙ方向側とは反対側の端部である。
【００５１】
（第１水切材）
図２（Ａ）、（Ｂ）に示すように、第１水切材５２は、外壁材１４（図１参照）に取り付けられる取付部５３と、取付部５３のＺ方向上部に形成された上部延設部５４と、取付部５３のＺ方向下部に形成された下部延設部５５とを有している。また、第１水切材５２は、一例として、カラー鋼板で構成されている。
【００５２】
取付部５３は、Ｙ−Ｚ面に沿ってＺ方向に直立すると共にＹ方向を長手方向とする矩形状に形成されている。また、取付部５３には、後述する第１切欠部５１Ａが形成される位置にＸ方向に貫通した取付け用の貫通孔（図示省略）が形成されている。
【００５３】
上部延設部５４は、一例として、上傾斜部５４Ａと、上鉛直部５４Ｂとを有している。上傾斜部５４Ａは、取付部５３のＺ方向上部（一例として上端）からＸ方向側とは反対側へ向けて、斜め下方に延びている。また、上鉛直部５４Ｂは、上傾斜部５４Ａの取付部５３側とは反対側の先端部が、Ｚ方向下側へ向けて屈曲されることで、上傾斜部５４Ａと一体で形成されている。そして、上鉛直部５４Ｂは、取付部５３とほぼ平行となるように配置されている。
【００５４】
下部延設部５５は、一例として、下傾斜部５５Ａと、下鉛直部５５Ｂとを有している。下傾斜部５５Ａは、取付部５３のＺ方向下部（下端ではなく中央部よりも下側の部位）からＸ方向側とは反対側へ向けて、斜め下方に延びている。また、下鉛直部５５Ｂは、下傾斜部５５Ａの取付部５３側とは反対側の先端部が、Ｚ方向下側へ向けて屈曲されることで、下傾斜部５５Ａと一体で形成されている。そして、下鉛直部５５Ｂは、取付部５３とほぼ平行となるように配置されている。さらに、下部延設部５５の大きさは、軒樋６０の拡幅部６４Ａ（図１参照）を内側に収容可能な大きさとなっている。
【００５５】
下傾斜部５５Ａ及び下鉛直部５５Ｂは、Ｙ方向側の端部（一端）が切断加工により取り除かれ、Ｙ方向の長さが取付部５３のＹ方向の長さよりも短くなっている。即ち、下部延設部５５のＹ方向側の端部には、外壁材１４（図１参照）に向けて切り欠かれた第１切欠部５１Ａが形成されている。
【００５６】
（第２水切材）
一方、  図２（Ａ）、（Ｂ）に示すように、第２水切材５６は、外壁材１４（図１参照）に取り付けられる取付部５７と、取付部５７のＺ方向上部に形成された上部延設部５８と、取付部５７のＺ方向下部に形成された下部延設部５９と、を有している。また、第２水切材５６は、一例として、カラー鋼板で構成されている。
【００５７】
取付部５７は、Ｙ−Ｚ面に沿ってＺ方向に直立すると共にＹ方向を長手方向とする矩形状に形成されている。また、取付部５７には、後述する第２切欠部５１Ｂが形成される位置にＸ方向に貫通した取付け用の貫通孔（図示省略）が形成されている。
【００５８】
上部延設部５８は、一例として、上傾斜部５８Ａと、上鉛直部５８Ｂとを有している。上傾斜部５８Ａは、取付部５７のＺ方向上部（一例として上端）からＸ方向側とは反対側へ向けて、斜め下方に延びている。また、上鉛直部５８Ｂは、上傾斜部５８Ａの取付部５７側とは反対側の先端部が、Ｚ方向下側へ向けて屈曲されることで、上傾斜部５８Ａと一体で形成されている。そして、上鉛直部５８Ｂは、取付部５７とほぼ平行となるように配置されている。
【００５９】
下部延設部５９は、一例として、下傾斜部５９Ａと、下鉛直部５９Ｂとを有している。下傾斜部５９Ａは、取付部５７のＺ方向下部（下端ではなく中央部よりも下側の部位）からＸ方向側とは反対側へ向けて、斜め下方に延びている。また、下鉛直部５９Ｂは、下傾斜部５９Ａの取付部５７側とは反対側の先端部が、Ｚ方向下側へ向けて屈曲されることで、下傾斜部５９Ａと一体で形成されている。そして、下鉛直部５９Ｂは、取付部５７とほぼ平行となるように配置されている。さらに、下部延設部５９の大きさは、軒樋６０の拡幅部６４Ａ（図１参照）を内側に収容可能な大きさとなっている。
【００６０】
下傾斜部５９Ａ及び下鉛直部５９Ｂは、Ｙ方向側とは反対側の端部（他端）が切断加工により取り除かれ、Ｙ方向の長さが取付部５７のＹ方向の長さよりも短くなっている。即ち、下部延設部５９のＹ方向側とは反対側の端部には、外壁材１４（図１参照）に向けて切り欠かれた第２切欠部５１Ｂが形成されている。
【００６１】
本実施形態では、一例として、上傾斜部５４Ａの水平面（Ｘ−Ｙ面）に対する傾斜角度と上傾斜部５８Ａの水平面に対する傾斜角度とが同じ角度θ１（図３（Ａ）参照）になっている。角度θ１は、水勾配で設定され、例えば、１／５０以上１／２以下の間で設定される。また、上傾斜部５４ＡのＸ方向の幅は、上傾斜部５８ＡのＸ方向の幅よりも短くなっている。
【００６２】
さらに、本実施形態では、一例として、下傾斜部５５Ａの水平面に対する傾斜角度と下傾斜部５９Ａの水平面に対する傾斜角度とが同じ角度θ２（図３（Ａ）参照）になっている。そして、下傾斜部５５ＡのＸ方向の幅は、下傾斜部５９ＡのＸ方向の幅とほぼ同じ幅になっている。なお、角度θ１と角度θ２は、独立して設定可能であり、同じであってもよく、異なっていてもよい。
【００６３】
図３（Ａ）に示すように、第１水切材５２及び第２水切材５６では、一例として、上鉛直部５４Ｂ、５８ＢのＺ方向の高さをｈ１、下鉛直部５５Ｂ、５９ＢのＺ方向の高さをｈ２として、ｈ１＜ｈ２となるように高さｈ１、ｈ２が設定されている。そして、第１水切材５２及び第２水切材５６では、上鉛直部５４Ｂ、５８ＢのＺ方向における下端の高さ位置と、下鉛直部５５Ｂ、５９ＢのＺ方向における上端の高さ位置との差である間隔Δｈが、一例として、ｈ２＜Δｈとなるように設定されている。
【００６４】
また、第１水切材５２及び第２水切材５６では、上部延設部５４、５８のＸ方向の幅よりも下部延設部５５、５９のＸ方向の幅の方が短くなっている。即ち、水切材５０をＺ方向側から見て（平面視で）、下部延設部５５が上部延設部５４に覆われており、下部延設部５９が上部延設部５８に覆われている。
【００６５】
ここで、図２（Ａ）、（Ｂ）に示すように、第２水切材５６のＹ方向他端部の内側に第１水切材５２のＹ方向一端部を挿入することで、第１水切材５２と第２水切材５６とが接続され、水切材５０が形成される。そして、第１水切材５２のＹ方向一端部と第２水切材５６のＹ方向他端部とが重なった部位が、接続部７０となる。また、第１水切材５２と第２水切材５６との接続により、第１切欠部５１Ａと第２切欠部５１Ｂが合わさり、１つの切欠部５１が形成される。
【００６６】
なお、第１実施形態の水切材５０の変形例として、図２（Ｃ）に示すように、第１水切材５２と第２水切材５６が同じ大きさになるように形成し、第１水切材５２のＹ方向一端部と第２水切材５６のＹ方向他端部とを突き合わせて水切材５０を形成してもよい。この構成の場合、第１水切材５２と第２水切材５６を突き合わせた部位を、例えばＰＯＳシールＰＯを用いてシール処理すればよい。
【００６７】
図３（Ａ）では、Ｘ−Ｚ断面において、下部延設部５５、５９が取付部５３、５７から直接、延出された形状で示されているが、これは、取付部５３、５７及び下部延設部５５、５９を簡略化して示したものである。実際には、既述のように、水切材５０が、一例としてカラー鋼板で構成されている。
【００６８】
このため、図３（Ｂ）に示すように、水切材５０を形成する場合、取付部５３、５７のＺ方向下部（矢印Ａで指し示す部位）をＺ方向側に折り返して重ね、さらに、折り返した部位の一部をＸ方向側とは反対側に折り返して下部延設部５５、５９を形成する。また、上部延設部５４、５８は、取付部５３、５７のＺ方向上部をＸ方向側とは反対側に折り返して形成される。
【００６９】
なお、第１水切材５２及び第２水切材５６が樹脂製の場合は、取付部５３、５７、上部延設部５４、５８、及び下部延設部５５、５９を一体で成型することが可能であるため、取付部５３、５７を折り返す加工が不要となる。
【００７０】
（軒先構造の施工方法）
次に、軒先構造４０の施工方法について説明する。
【００７１】
図４に示すように、第１水切材５２のＹ方向一端部と第２水切材５６のＹ方向他端部とを接続して水切材５０を形成する。これにより、水切材５０において接続部７０及び切欠部５１が形成される。そして、切欠部５１内に吊具６２を配置する。
【００７２】
続いて、吊具６２の板状部６２Ａが、水切材５０の取付部５３、５７に跨って（接続部７０を跨いで）接触した状態で、締結部材１７（図１参照）が貫通孔６２Ｆ、６２Ｇに打ち込まれる（図４に矢印Ｂで示す）。これにより、図１に示すように、吊具６２及び水切材５０が、共締めされて外壁材１４のＸ方向側とは反対側に固定される。なお、水切材５０の取付部５３、５７において、吊具６２が設置されていない部位にタッピングねじ（図示省略）を打ち込んで、水切材５０を固定しておいてもよい。
【００７３】
続いて、図４に示すように、下部延設部５５、５９の下側から軒樋６０の拡幅部６４Ａを挿入する（図４に矢印Ｃで示す）。これにより、図１に示すように、下部延設部５５、５９内に軒樋６０の拡幅部６４Ａが配置されると共に、軒樋６０の凹部６４Ｂが吊具６２の引掛部６２Ｄに引掛けられる。そして、この状態で、軒樋６０の傾斜部６７をＺ方向に持ち上げることで、軒樋６０の凹部６７Ａが吊具６２の突出部６２Ｃに引掛けられる。このようにして、吊具６２が軒樋６０を支持し、軒先構造４０が出来上がる。
【００７４】
軒先構造４０では、水切材５０の下部延設部５５、５９が、外壁材１４と軒樋６０との隙間Ｄ（図５参照）を覆っている。なお、軒先構造４０では、吊具６２の押え部６２Ｅの下端部が、軒樋６０の段差部６６をＸ方向側とは反対側へ押し付けるため、軒樋６０が吊具６２から外れにくくなっている。そして、軒先構造４０が出来上がった後、縦継ぎ手７４を用いて、軒樋６０のドレン７２の下側に縦樋７６を接続する。
【００７５】
このように、第１実施形態の軒先構造４０では、水切材５０の取付部５３、５７が外壁材１４に取り付けられることにより、上部延設部５４、５８と下部延設部５５、５９が、外壁材１４に一体で設けられるので、外壁材１４への水切材５０の施工性（取付けの作業性）がよくなる。
【００７６】
（作用）
次に、第１実施形態の作用について説明する。
【００７７】
図５に示すように、軒先構造４０では、降雨時に水切材５０の上傾斜部５４Ａ、５８Ａの上面を雨水Ｅが流れる。この雨水Ｅは、上鉛直部５４Ｂ、５８Ｂを伝って軒樋６０内に落下する。なお、軒樋６０内に落下する雨水Ｅは、図５に示す破線Ｅ１と破線Ｅ２で囲まれた領域内に落下するものとする。そして、軒樋６０内に落下した雨水Ｅは、底部６５の上面に当たって跳ね上がる。
【００７８】
跳ね上がった雨水Ｅのうち一部（これを雨水Ｇと記載する）は、上傾斜部５４Ａ、５８Ａと下傾斜部５５Ａ、５９Ａとの間に入り、上傾斜部５４Ａ、５８Ａの下面や取付部５３、５７と接触するなどして、下傾斜部５５Ａ、５９Ａの上面に落下する。そして、下傾斜部５５Ａ、５９Ａの上面に落下した雨水Ｇは、下傾斜部５５Ａ、５９Ａの上面を流れ、下鉛直部５５Ｂ、５９Ｂを伝って、再び軒樋６０内に落下する。このように、軒先構造４０及び水切材５０では、雨水Ｅを軒樋６０の中に落下させることができる。
【００７９】
一方、軒先構造４０では、下部延設部５５、５９が、外壁材１４と軒樋６０との隙間Ｄを覆っている。これにより、軒樋６０内に落下した雨水Ｅの一部が、底部６５において隙間Ｄに向けて跳ね上がることがあっても、この跳ね上がった雨水Ｇの移動が、下部延設部５５、５９により規制されるので、雨水Ｇの隙間Ｄへの侵入が規制される。即ち、軒先構造４０及び水切材５０では、外壁材１４と軒樋６０との隙間Ｄへの雨水の浸入を抑制することができる。
【００８０】
また、軒先構造４０では、下部延設部５５、５９の屈曲された部位から先端部までに相当する下鉛直部５５Ｂ、５９Ｂが、Ｘ方向に見て、軒樋６０の拡幅部６４Ａの側面を覆っている。これにより、軒先構造４０では、軒樋６０の中に落下した雨水Ｇが、軒樋６０の側壁部６４へ向けて跳ね上がることがあっても、下鉛直部５５Ｂ、５９Ｂによって雨水Ｇの移動が規制されるので、隙間Ｄへの雨水の浸入を抑制することができる。
【００８１】
さらに、軒先構造４０では、上部延設部５４、５８の屈曲された部位から先端部までに相当する上鉛直部５４Ｂ、５８Ｂが、水平方向ではなく下方へ延びている。これにより、軒先構造４０では、雨水Ｅを下方へ案内して確実に軒樋６０の中に落下させることができる。また、上鉛直部５４Ｂ、５８Ｂは、雨水Ｅの水平方向への移動を規制するので、軒樋６０の中に落下して跳ね上がった雨水Ｅ、Ｇが、上部延設部５４と下部延設部５９との間へ浸入するのを抑制することができる。
【００８２】
加えて、軒先構造４０では、水切材５０の切欠部５１内に吊具６２が配置される（収容される）ので、吊具６２を外壁材１４に取り付けるとき、吊具６２を水切材５０の外側に取り付けなくて済む。これにより、吊具６２の設置スペースを別途、確保する必要がなくなるので、軒樋６０や吊具６２の大きさ及び形状に関わらず、吊具６２を外壁材１４に取り付けることができる。
【００８３】
また、軒先構造４０では、予め第１水切材５２の一端部に第１切欠部５１Ａを形成し、第２水切材５６の他端部に第２切欠部５１Ｂを形成して、第１水切材５２と第２水切材５６とを接続することで、接続部７０に切欠部５１を配置（形成）している。これにより、水切材５０では、下部延設部５５、５９における長手方向（Ｙ方向）の途中部分を切り欠く切断加工を後加工として行わなくて済む（切断加工が容易な端部を加工する）ので、水切材５０の加工性を向上させることができる。
【００８４】
さらに、軒先構造４０では、接続部７０において、第１水切材５２と第２水切材５６とが重ねられているので、第１水切材５２の一端部及び第２水切材５６の他端部のねじれを抑制することができる。これにより、第１水切材５２の一端部と第２水切材５６の他端部との間に隙間が形成されにくくなり、第１水切材５２と第２水切材５６との隙間への雨水の浸入を抑制することができる。
【００８５】
加えて、軒先構造４０では、吊具６２の板状部６２Ａが、第１水切材５２と第２水切材５６とに跨って取り付けられ、接続部７０のＺ方向の少なくとも一部を覆うので、第１水切材５２と第２水切材５６との隙間への雨水の浸入をさらに抑制することができる。
【００８６】
[第２実施形態]
次に、本発明の第２実施形態に係る水切材及び軒先構造の一例について説明する。なお、前述した第１実施形態と基本的に同一の部材には、前記第１実施形態と同一の符号を付与してその説明を省略する。
【００８７】
（全体構成）
図６（Ａ）には、第２実施形態の一例としての軒先構造１００が適用された建物１２０の一部が示されている。なお、以後の説明では、建物１２０の桁方向をＸ方向（図中の矢印Ｘ）、妻方向をＹ方向（図中の矢印Ｙ）、高さ方向をＺ方向（図中の矢印Ｚ）とする。
【００８８】
建物１２０は、一例として、傾斜屋根１２１と、傾斜屋根１２１の下側でＺ方向に直立する鼻先下地１２６と、鼻先下地１２６の下側に設けられた軒天井１２８とを含んで構成されている。また、傾斜屋根１２１は、野地板１２２と、野地板１２２上に設けられた瓦１２４とを含んで構成されており、これらが水平面（Ｘ−Ｙ面）に対して傾斜配置されている。
【００８９】
（要部構成）
次に、軒先構造１００について説明する。
【００９０】
図６（Ａ）に示すように、軒先構造１００は、鼻先下地１２６に取り付けられた水切材１０２と、水切材１０２と共に鼻先下地１２６に取り付けられ軒樋１１０を吊る吊具１０８とを有している。
【００９１】
（軒樋）
軒樋１１０は、一例として、側壁部１１２と、側壁部１１２の下端から水平に延びる底部１１３と、底部１１３の側壁部１１２側とは反対側から斜め方向に延びる傾斜部１１４と、傾斜部１１４の上部に形成された屈曲部１１５とが一体で形成されている。そして、軒樋１１０は、Ｙ方向に見て、Ｚ方向に開口した断面Ｕ字形状となっている。
【００９２】
側壁部１１２は、鼻先下地１２６に近い側でＹ−Ｚ面に沿って直立するように配置されている。また、側壁部１１２のＺ方向の上端には、Ｘ方向に拡幅された拡幅部１１２Ａが形成されており、拡幅部１１２Ａの下部には、Ｚ方向側とは反対側に開口した凹部１１２Ｂが形成されている。そして、底部１１３は、側壁部１１２のＺ方向の下端からＸ方向側とは反対側へ水平に延びており、Ｘ方向中央にはＺ方向に貫通した貫通孔（図示省略）が形成されている。なお、底部１１３の貫通孔にはドレンが設けられ、縦樋が接続されているが、ドレン及び縦樋の図示は省略している。
【００９３】
傾斜部１１４は、上端が下端よりも鼻先下地１２６から離れるように傾斜している。また、屈曲部１１５は、Ｙ方向に見て逆Ｖ字状に屈曲されており、屈曲部１１５の下部には、Ｚ方向下側に向けて開口した凹部１１５Ａが形成されている。なお、一例として、凹部１１５Ａの高さ位置は、凹部１１２Ｂの高さ位置よりも高くなっている。
【００９４】
（吊具）
吊具１０８は、水切材１０２と共に鼻先下地１２６に取り付けられる板状部１０８Ａと、板状部１０８ＡからＸ方向とは反対方向に延びるアーム部１０８Ｂと、アーム部１０８Ｂの板状部１０８Ａ側とは反対側で斜め上方に突出された突出部１０８Ｃとを有している。さらに、吊具１０８は、アーム部１０８ＢのＸ方向側の下部に形成された引掛部１０８Ｄを有している。
【００９５】
板状部１０８Ａは、Ｙ−Ｚ面に沿った板状に形成されており、板状部１０８Ａには、Ｘ方向及びＹ方向に間隔をあけて４箇所配置されると共にＸ方向に貫通された貫通孔１０８Ｅが形成されている（貫通孔１０８Ｅの図示は２箇所のみ）。そして、貫通孔１０８Ｅの内径は、締結部材１７の軸部を挿入可能な大きさとなっている。なお、板状部１０８Ａは、後述する取付部１０３の切欠部１０６（図６（Ｂ）参照）内に取り付けられる。
【００９６】
アーム部１０８Ｂは、板状部１０８ＡのＸ方向側とは反対側の面におけるＹ方向中央からＸ方向とは反対方向に板状に延びている。そして、アーム部１０８ＢのＺ方向における上部及び下部は、Ｙ方向に沿ってフランジ状に張り出されている。また、突出部１０８Ｃは、Ｙ方向に見て、Ｚ方向に開口したＣ字状に形成されている。そして、突出部１０８Ｃは、軒樋１１０の凹部１１５Ａに嵌まる大きさとなっている。
【００９７】
引掛部１０８Ｄは、Ｙ方向に見てＸ方向側に開口したＣ字状に形成されている。そして、引掛部１０８ＤのＺ方向下側の先端は、凹部１１２Ｂへの引っ掛けが可能となる大きさでＺ方向に延びている。
【００９８】
（水切材）
次に、水切材１０２について説明する。
【００９９】
図６（Ａ）に示すように、水切材１０２は、一例として、Ｙ方向に長い１枚のカラー鋼板を複数回屈曲されて形成されている。そして、水切材１０２は、鼻先下地１２６に取り付けられる取付部１０３と、取付部１０３のＺ方向上部に形成された上部延設部１０４と、取付部１０３のＺ方向下部に形成された下部延設部１０５と、を有している。
【０１００】
取付部１０３は、Ｙ−Ｚ面に沿ってＺ方向に直立すると共にＹ方向を長手方向とする矩形状に形成されている。また、取付部１０３には、後述する切欠部１０６（図６（Ｂ）参照）が形成される位置にＸ方向に貫通した取付け用の貫通孔（図示省略）が形成されている。
【０１０１】
上部延設部１０４は、一例として、水平部１０４Ａと、水平部１０４Ａに対して斜め下方に傾斜した第１傾斜部１０４Ｂと、第１傾斜部１０４Ｂの折り返された上端から野地板１２２上へ斜め上方に傾斜した第２傾斜部１０４Ｃとを有している。
【０１０２】
水平部１０４Ａは、取付部１０３のＺ方向上端でＸ方向側とは反対側にＸ方向に沿うように屈曲された部位である。第１傾斜部１０４Ｂは、水平部１０４ＡのＸ方向側とは反対側へ向けて屈曲され、斜め下方に延びている。さらに、第１傾斜部１０４Ｂは、下部延設部１０５よりも高い位置で折り返されると共に重ねられ、斜め上方（野地板１２２に向かう方向）に延びている。第２傾斜部１０４Ｃは、第１傾斜部１０４Ｂの上端から野地板１２２上に延びており、上端部が折り返されて重ねられている。
【０１０３】
下部延設部１０５は、一例として、第３傾斜部１０５Ａと、鉛直部１０５Ｂとを有している。第３傾斜部１０５Ａは、取付部１０３のＺ方向下部（下端ではなく中央部よりも下側の部位）で屈曲され、Ｘ方向側とは反対側へ向けて、斜め下方に延びている。そして、鉛直部１０５Ｂは、第３傾斜部１０５Ａの取付部１０３側とは反対側の先端部が、Ｚ方向下側へ向けて屈曲されることで形成されている。そして、鉛直部１０５Ｂは、取付部１０３とほぼ平行となるように配置されている。さらに、下部延設部１０５の大きさは、軒樋１１０の拡幅部１１２Ａを内側に収容可能な大きさとなっている。
【０１０４】
また、図６（Ｂ）に示すように、水切材１０２には、第３傾斜部１０５Ａ及び鉛直部１０５ＢのＹ方向における一部が切断加工により取り除かれ、鼻先下地１２６（図６（Ａ）参照）に向けて切り欠かれた切欠部１０６が形成されている。切欠部１０６のＹ方向の幅は、吊具１０８の板状部１０８Ａ（図６（Ａ）参照）を収容可能な大きさとなっている。なお、図６（Ｂ）では吊具１０８の図示を省略している。
【０１０５】
図６（Ａ）に示すように、本実施形態では、一例として、第２傾斜部１０４Ｃの水平面に対する傾斜角度（水勾配）が１／５０以上１／２以下の間で設定されている。また、第３傾斜部１０５ＡのＸ方向の幅は、水平部１０４ＡのＸ方向の幅よりも短くなっている。即ち、水切材１０２をＺ方向側から見て（平面視で）、下部延設部１０５が上部延設部１０４に覆われている。
【０１０６】
（軒先構造の施工方法）
次に、軒先構造１００の施工方法について説明する。
【０１０７】
図６（Ａ）に示すように、水切材１０２の切欠部１０６（図６（Ｂ）参照）内に吊具１０８を配置する。そして、吊具１０８の板状部１０８Ａが水切材１０２の取付部１０３に接触した状態で、複数の締結部材１７が、鼻先下地１２６へ向けて複数の貫通孔１０８Ｅに打ち込まれる。これにより、吊具１０８及び水切材１０２が、共締めされて鼻先下地１２６のＸ方向側とは反対側に固定される。なお、水切材１０２の取付部１０３において、吊具１０８が設置されていない部位にタッピングねじ（図示省略）を打ち込んで、水切材１０２を固定しておいてもよい。
【０１０８】
続いて、下部延設部１０５の下側から軒樋１１０の拡幅部１１２Ａを挿入する。これにより、下部延設部１０５内に軒樋１１０の拡幅部１１２Ａが配置されると共に、軒樋１１０の凹部１１２Ｂが吊具１０８の突出部１０８Ｃに引掛けられる。そして、この状態で軒樋１１０の傾斜部１１４をＺ方向に持ち上げることで、軒樋１１０の凹部１１５Ａが吊具１０８の突出部１０８Ｃに引掛けられる。このようにして、吊具１０８が軒樋１１０を支持し、軒先構造１００が出来上がる。
【０１０９】
軒先構造１００では、水切材１０２の下部延設部１０５が、鼻先下地１２６と軒樋１１０との隙間Ｗ（図７参照）を覆っている。そして、軒先構造１００が出来上がった後、軒樋１１０のドレン（図示省略）の下側に縦樋（図示省略）を接続する。このように、第２実施形態の軒先構造１００では、水切材１０２の取付部１０３が鼻先下地１２６に取り付けられることにより、上部延設部１０４と下部延設部１０５が一体で設けられるので、鼻先下地１２６への水切材１０２の施工性（取付けの作業性）がよくなる。
【０１１０】
（作用）
次に、第２実施形態の作用について説明する。
【０１１１】
図７に示すように、軒先構造１００では、降雨時に水切材１０２の第２傾斜部１０４Ｃの上面を雨水Ｅが流れる。この雨水Ｅは、第１傾斜部１０４Ｂを伝って軒樋１１０内に落下する。なお、軒樋１１０内に落下する雨水Ｅは、破線Ｅ１と破線Ｅ２で囲まれた領域内に落下するものとする。そして、軒樋１１０内に落下した雨水Ｅは、底部１１３の上面に当たって跳ね上がる。
【０１１２】
跳ね上がった雨水Ｅのうち一部（これを雨水Ｇと記載する）は、第１傾斜部１０４Ｂと第３傾斜部１０５Ａとの間に入り、水平部１０４Ａの下面や取付部１０３と接触するなどして、第３傾斜部１０５Ａの上面に落下する。そして、第３傾斜部１０５Ａの上面に落下した雨水Ｇは、第３傾斜部１０５Ａの上面を流れ、鉛直部１０５Ｂを伝って、再び軒樋１１０内に落下する。このように、軒先構造１００及び水切材１０２では、雨水Ｅを軒樋１１０の中に落下させることができる。
【０１１３】
一方、軒先構造１００では、下部延設部１０５が、鼻先下地１２６と軒樋１１０との隙間Ｗを覆っている。これにより、軒樋１１０内に落下した雨水Ｅの一部が、底部１１３において隙間Ｗに向けて跳ね上がることがあっても、この跳ね上がった雨水Ｇの移動が下部延設部１０５により規制されるので、雨水Ｇの隙間Ｗへの侵入が規制される。即ち、軒先構造１００及び水切材１０２では、鼻先下地１２６と軒樋１１０との隙間Ｗへの雨水の浸入を抑制することができる。
【０１１４】
また、軒先構造１００では、鉛直部１０５Ｂが、軒樋１１０の拡幅部１１２Ａの側面を覆っている。これにより、軒先構造１００では、軒樋１１０の中に落下した雨水Ｇが、軒樋１１０の側壁部１１２へ向けて跳ね上がることがあっても、鉛直部１０５Ｂによって雨水Ｇの移動が規制されるので、隙間Ｄへの雨水の浸入を抑制することができる。
【０１１５】
さらに、軒先構造１００では、第１傾斜部１０４Ｂが、水平方向ではなく斜め下方へ延びている。これにより、軒先構造１００では、雨水Ｅを下方へ案内して軒樋１１０の中に落下させることができる。また、第１傾斜部１０４Ｂは、一部の雨水が水平方向に移動するのを規制するので、軒樋１１０の中に落下して跳ね上がった雨水が、水平部１０４Ａと下部延設部１０５との間へ浸入するのを抑制することができる。
【０１１６】
加えて、軒先構造１００では、水切材１０２の切欠部１０６（図６（Ｂ）参照）内に吊具１０８が配置される（収容される）ので、吊具１０８を鼻先下地１２６に取り付けるとき、吊具１０８を水切材１０２の外側に取り付けなくて済む。これにより、吊具１０８の設置スペースを別途、確保する必要がなくなるので、軒樋１１０や吊具１０８の大きさ及び形状に関わらず、吊具１０８を鼻先下地１２６に取り付けることができる。
【０１１７】
なお、本発明は上記の実施形態に限定されない。
【０１１８】
第１水切材５２と第２水切材５６との接続は、別途、ジョイント部材を用いて行ってもよい。例えば、第１水切材５２、第２水切材５６それぞれにＹ方向に開口した断面Ｃ字状又は筒状の差込部を形成しておき、板材又は棒材からなるジョイント部材をそれぞれの差込部に差し込んで、第１水切材５２と第２水切材５６を接続してもよい。
【０１１９】
また、水切材５０は、既述のように、第１水切材５２と第２水切材５６の２つを接続するものに限らず、３つ以上の水切材を接続して形成してもよい。さらに、水切材５０は、１つであってもよい。
【０１２０】
さらに、水切材１０２は、Ｙ方向で複数の水切材を接続するものであってもよい。この構成の場合、複数の水切材を接続して形成された接続部の位置に、切欠部１０６を配置すればよい。また、水切材１０２は、カラー鋼板を複数回屈曲するものに限らず、樹脂製で一体成型されるものであってもよい。
【０１２１】
加えて、下部延設部５５、５９、１０５は、傾斜部及び鉛直部で構成されるものに限らず、全体が１つの湾曲形状となっていてもよい。また、吊具６２の板状部６２Ａは、接続部７０を跨いで取り付けられるものに限らず、第１水切材５２又は第２水切材５６のみに取り付けられてもよい。即ち、切欠部５１は、第１水切材５２及び第２水切材５６の一方のみに形成されていてもよい。
【０１２２】
さらに、第１実施形態の上傾斜部５４Ａ及び上傾斜部５８Ａの水平面に対する傾斜角度θ１は、既述のように、１／５０以上１／２以下の間で設定されることが望ましいが、これに限らず、他の勾配で設定されていてもよい。加えて、第２実施形態の第２傾斜部１０４Ｃの水平面に対する傾斜角度は、既述のように、１／５０以上１／２以下の間で設定されることが望ましいが、これに限らず、他の勾配で設定されていてもよい。
【符号の説明】
【０１２３】
１０  ユニット建物（建物の一例）
１４  外壁材（外壁の一例）
４０  軒先構造
５０  水切材
５１  切欠部
５３  取付部
５４  上部延設部
５５  下部延設部
５７  取付部
５８  上部延設部
５９  下部延設部
６０  軒樋
６２  吊具
７０  接続部
１００  軒先構造
１０２  水切材
１０３  取付部
１０４  上部延設部
１０５  下部延設部
１０６  切欠部
１０８  吊具
１１０  軒樋
１２０  建物
１２６  鼻先下地
【図１】
2014141796.tif 000003
【図２】
2014141796.tif 000004
【図３】
2014141796.tif 000005
【図４】
2014141796.tif 000006
【図５】
2014141796.tif 000007
【図６】
2014141796.tif 000008
【図７】
2014141796.tif 000009